(57)【要約】【課題】  ブラシをその長手方向に沿ってスライドすることで、化粧液を塗布対象に塗布しながら、仕上げを行うこと。【解決手段】  塗布ブラシ部１６には、その長手方向の一端側端部から中程に亘って、溝１８が芯線１２に沿って形成され、塗布ブラシ部１６は、溝１８を有する第１の領域１６ａと溝１８の無い第２の領域１６ｂとに二分され、第１の領域１６ａは、長いブラシ毛群１４ａと短いブラシ毛群１４ｂとで構成されて、長いブラシ毛群１４ａ間に溝１８が形成され、第２の領域１６ｂは、長いブラシ毛群１４ａで構成されている。ブラシをマスカラ容器内に挿入すると、長いブラシ毛群１４ａ間の溝１８にマスカラが付着され、ブラシを睫毛に沿って平行にスライドすると、第１の領域１６ａに属する長いブラシ毛群１４ａにより、マスカラを睫毛に十分に塗布しながら、第２の領域１６ｂに属する長いブラシ毛群１４ａにより、睫毛を整えることができる。【選択図】        図１
2008149047.tif 000002
【特許請求の範囲】
【請求項１】
螺旋状に捩じられた芯線間にブラシ毛群が前記芯線に対して放射状に挟み込まれているとともに、前記放射状のブラシ毛群が前記芯線の長手方向に沿って分散して配置され、前記芯線の周囲に前記放射状のブラシ毛群の集合による塗布ブラシ部が形成されている化粧用ブラシにおいて、前記塗布ブラシ部は溝を有し、前記溝は、前記塗布ブラシ部の長手方向の一端側端部から中程に亘って前記芯線に沿って形成されてなることを特徴とする化粧用ブラシ。
【発明の詳細な説明】
【技術分野】
【０００１】
本発明は、化粧用ブラシに係り、特に、マスカラ塗布用ブラシとして用いることができる化粧用ブラシに関する。
【背景技術】
【０００２】
化粧用ブラシとしては、例えば、シャフトの周囲に、相対的に長い剛毛と短い剛毛を交互に螺旋状に配置し、マスカラアプリケーターのブラシとして用いたもの（特許文献１参照）、ブラシの中程に、ブラシの中心軸に沿って略平行な刈り込み部を有するもの（特許文献２参照）、あるいは塗布ブラシ部の中程に、ブラシ部の中心軸に対してねじれ角を有する刈り込み凹部を有するもの（特許文献３参照）が提案されている。
【０００３】
【特許文献１】特公平３−３６５２５号公報
【特許文献２】特許第２７８１１７４号公報
【特許文献３】特開２００３−３０４９２９号公報
【発明の開示】
【発明が解決しようとする課題】
【０００４】
特許文献１に記載されているブラシは、短い剛毛がシャフトの長手方向（軸方向）の一端部から他端部に亘って螺旋状の溝部として形成されているので、短い剛毛によって形成された溝部に多量のマスカラを溜めることができる。また、特許文献２に記載されているブラシは、刈り込み凹部に多量のマスカラを溜めることができ、特許文献３に記載されているブラシは、刈り込み部に多量のマスカラを溜めることができる。
【０００５】
しかし、上記いずれのブラシも、マスカラを睫毛に塗布するにも、ブラシを回転させなければならず、しかも、多量のマスカラが溜まった状態で睫毛を整えると、マスカラが睫毛に付着し過ぎることが危惧される。
【０００６】
本発明は、前記従来技術の課題に鑑みて為されたものであり、その目的は、ブラシをその長手方向に沿ってスライドすることで、化粧液を塗布対象に塗布しながら、塗布対象に対する仕上げを行うことにある。
【課題を解決するための手段】
【０００７】
前記課題を解決するために、請求項１に係る化粧用ブラシは、螺旋状に捩じられた芯線間にブラシ毛群が前記芯線に対して放射状に挟み込まれているとともに、前記放射状のブラシ毛群が前記芯線の長手方向に沿って分散して配置され、前記芯線の周囲に前記放射状のブラシ毛群の集合による塗布ブラシ部が形成されている化粧用ブラシにおいて、前記塗布ブラシ部は溝を有し、前記溝は、前記塗布ブラシ部の長手方向の一端側端部から中程に亘って前記芯線に沿って形成されてなる構成とした。
【０００８】
（作用）塗布ブラシ部は、その長手方向（軸方向）の領域が、芯線の周囲に溝を有するブラシ毛群の第１の領域と、芯線の周囲に溝の無いブラシ毛群の第２の領域に二分されているので、第１の領域に属するブラシ毛群の溝に多量の化粧液、例えば、マスカラを溜めることができるとともに、ブラシをその長手方向に沿ってスライドすることで、第１の領域に属するブラシ毛群により、マスカラを塗布対象、例えば、睫毛に十分に塗布しながら、第２の領域に属するブラシ毛群により、睫毛を整えることができ、操作性の向上に寄与することができる。
【発明の効果】
【０００９】
本発明によれば、ブラシをその長手方向に沿ってスライドすることで、塗布対象に化粧液を十分塗布しながら、塗布対象を整えることができ、操作性の向上に寄与することができる。
【発明を実施するための最良の形態】
【００１０】
以下、本発明の一実施例を図面に基づいて説明する。図１（ａ）は、本発明の第１実施例を示す化粧用ブラシの断面図、（ｂ）は、（ａ）に示す化粧用ブラシの左側面図、（ｃ）は、（ａ）に示す化粧用ブラシの右側面図、図２（ａ）は、本発明の第２実施例を示す化粧用ブラシの断面図、（ｂ）は、（ａ）に示す化粧用ブラシの左側面図、（ｃ）は、（ａ）に示す化粧用ブラシの右側面図である。
【００１１】
図１において、化粧用ブラシ１０は、螺旋状に捩じられた複数本の金属製芯線１２を備えており、芯線１２間には、ブラシ毛群１４が芯線１２に対して放射状に挟み込まれているとともに、放射状のブラシ毛群１４が芯線１２の長手方向に沿って分散して配置され、芯線１２の周囲に放射状のブラシ毛群１４の集合による塗布ブラシ部１６が形成されている。そして、塗布ブラシ部１６に隣接して、芯線１２の周囲に操作用の軸（図示せず）が摘みとして装着されるようになっている。
【００１２】
塗布ブラシ部１６には、塗布ブラシ部１６の長手方向の一端側端部から中程に亘って溝１８が芯線１２の長手方向（軸方向）に沿って、例えば、４条（４本）形成されている。
【００１３】
すなわち、塗布ブラシ部１６は、その長手方向（軸方向）の領域が、芯線１２の周囲に溝１８を有するブラシ毛群１４による第１の領域１６ａと、芯線１２の周囲に溝１８の無いブラシ毛群１４による第２の領域１６ｂとに二分されている。第１の領域１６ａに属するブラシ毛群１４は、放射方向（径方向）の長さが相対的に長いブラシ毛群１４ａと、放射方向（径方向）の長さが相対的に短いブラシ毛群１４ｂとで構成され、長いブラシ毛群１４ａと短いブラシ毛群１４ｂが芯線１２の周囲に交互に形成され、長いブラシ毛群１４ａ間に、断面が矩形形状の溝１８が形成されている。第２の領域１６ｂに属するブラシ毛群１４は、全体が長いブラシ毛群１４ａで構成され、全体として、円柱状に形成されている。
【００１４】
上記構成による化粧用ブラシ１０を操作用の軸に装着し、この軸を持って化粧用ブラシ１０を、化粧液（バルク）、例えば、マスカラが収納されている容器内に挿入すると、第１の領域１６ａに属する長いブラシ毛群１４ａ間の溝１８に多量のマスカラが付着され、各溝１８に多量のマスカラを溜めることができる。
【００１５】
容器から化粧用ブラシ１０を取り出した後、操作用の軸を睫毛に沿って略平行に配置し、操作用の軸をその長手方向に沿ってスライドすると、第１の領域１６ａに属する長いブラシ毛群１４ａにより、マスカラを睫毛に十分に塗布しながら、第２の領域１６ｂに属する長いブラシ毛群１４ａにより、睫毛を整えることができる。この操作を数回繰り返すことで、睫毛全体にマスカラを十分に塗布することができるとともに、睫毛を整えることができる。
【００１６】
本実施例によれば、第１の領域１６ａに属する長いブラシ毛群１４ａ間の溝１８に多量のマスカラを溜めることができるとともに、多量のマスカラを溜めた状態で、操作用の軸を睫毛に沿って略平行にスライドさせるだけで、第２の領域１６ｂに属する長いブラシ毛群１４ａにより、睫毛を整えることができ、操作性の向上に寄与することができる。
【００１７】
次に、本発明の第２実施例を図２に基づいて説明する。本実施例は、芯線１２の周囲に溝１８の無いブラシ毛群１４による第２の領域１６ｂを、芯線１２の周囲に溝１８を有するブラシ毛群１４による第１の領域１６ａよりも芯線１２の長手方向において長くするとともに、第２の領域１６ｂの領域のうち長手方向の一端側（先端側）の領域を、ブラシ毛群１４の放射方向（径方向）の長さが、第２の領域１６ｂの中程から長手方向の一端側（先端側）に行くに従って漸次短くなる、円錐台状に形成したものであり、他の構成は第１実施例と同様である。
芯線１２の周囲に溝１８の無いブラシ毛群１４による第２の領域１６ｂは、放射方向（径方向）の長さが相対的に長いブラシ毛群１４ａと、放射方向（径方向）の長さが相対的に漸次短く（第２の領域１６ｂの中程から長手方向の一端側（先端側）に行くに従って漸次短く）なるブラシ毛群１４ｃとで構成され、ブラシ毛群１４ｃが、全体として、円錐台状に形成されている。
【００１８】
上記構成による化粧用ブラシ１０を操作用の軸に装着し、この軸を持って化粧用ブラシ１０を、化粧液（バルク）、例えば、マスカラが収納されている容器内に挿入すると、第１の領域１６ａに属する長いブラシ毛群１４ａ間の溝１８に多量のマスカラが付着され、各溝１８に多量のマスカラを溜めることができる。
【００１９】
容器から化粧用ブラシ１０を取り出した後、操作用の軸を睫毛に沿って略平行に配置し、操作用の軸をその長手方向に沿ってスライドすると、第１の領域１６ａに属する長いブラシ毛群１４ａにより、マスカラを睫毛に十分に塗布しながら、第２の領域１６ｂに属する長いブラシ毛群１４ａとブラシ毛群１４ｃとにより、睫毛を整えることができる。この操作を数回繰り返すことで、睫毛全体にマスカラを十分に塗布することができるとともに、睫毛を整えることができる。
【００２０】
本実施例によれば、第１の領域１６ａに属する長いブラシ毛群１４ａ間の溝１８に多量のマスカラを溜めることができるとともに、多量のマスカラを溜めた状態で、操作用の軸を睫毛に沿って略平行にスライドさせるだけで、第２の領域１６ｂに属する長いブラシ毛群１４ａとブラシ毛群１４ｃとにより、睫毛を整えることができ、操作性の向上に寄与することができる。
【００２１】
また、本実施例によれば、長いブラシ毛群１４ａで睫毛を整えた後、さらに放射方向（径方向）の長さが相対的に漸次短くなるブラシ毛群１４ｃで睫毛を整えることができるので、第１実施例のものよりも、睫毛をよりきめ細かく整えることができる。
【００２２】
前記各実施例においては、操作用の軸に隣接して、軸側に第１の領域１６ａを設けるものについて述べたが、これとは逆に、操作用の軸に隣接して、軸側に第２の領域１６ｂを設け、先端側に第１の領域１６ａを設けることもできる。
【００２３】
また、塗布ブラシ部１６の形状および溝１８の形状や数は前記各実施例に限定されるものではなく、他の形状のものにも本発明を適用することができる。
【図面の簡単な説明】
【００２４】
【図１】（ａ）は、本発明の第１実施例を示す化粧用ブラシの断面図、（ｂ）は、（ａ）に示す化粧用ブラシの左側面図、（ｃ）は、（ａ）に示す化粧用ブラシの右側面図である。
【図２】（ａ）は、本発明の第２実施例を示す化粧用ブラシの断面図、（ｂ）は、（ａ）に示す化粧用ブラシの左側面図、（ｃ）は、（ａ）に示す化粧用ブラシの右側面図である。
【符号の説明】
【００２５】
１０  化粧用ブラシ
１２  芯線
１４、１４ａ、１４ｂ  ブラシ毛群
１６  塗布ブラシ部
１６ａ  第１の領域
１６ｂ  第２の領域
１８  溝
【図１】
2008149047.tif 000003
【図２】
2008149047.tif 000004